(57)【要約】 【課題】  感光体の損傷を防止するとともに、カブリの発生を抑制し、画像再現性に優れた現像方法、現像装置および該現像方法を用いた画像形成方法を提供する。【解決手段】  現像バイアス電圧として、直流電圧に対して高周波交流電圧を一定周期重畳した後、低周波交流電圧を一定周期重畳する。具体的には、直流電圧Ｖｄｃ（−５００Ｖ）に、高周波交流電圧（周波数ｆ１＝６〜１０ｋＨｚ，ピークトゥピーク値Ｖｐｐ１＝１．５〜２．０ｋＶ）をｎ周期重畳した後に、低周波交流電圧（ｆ２＝０．１〜６ｋＨｚ，ピークトゥピーク値Ｖｐｐ２＝０．１〜０．５ｋＶ）をｍ周期重畳し、かつ、ｎ／ｆ１＜ｍ／ｆ２となるように周波数と重畳する周期とを規定する。【選択図】      図１
2008083417.tif 000002
【特許請求の範囲】
【請求項１】
トナーを保持するトナー保持体に現像バイアス電圧を印加することで、静電潜像が形成された感光体にトナーを供給し、前記静電潜像を顕像化する現像方法において、
前記現像バイアス電圧は、直流電圧に、周波数ｆ１が６〜１０ｋＨｚ、振幅が１．５〜２．０ｋＶｐｐである第１交流電圧をｎ周期重畳した後に、周波数ｆ２が０．１〜６ｋＨｚ、振幅が０．２〜1．０ｋＶｐｐである第２交流電圧をｍ周期重畳したものであって、周波数ｆ１，ｆ２と重畳する周期ｎ，ｍとがｎ／ｆ１＜（ｍ／ｆ２）／２の関係を満たすことを特徴とする現像方法。
【請求項２】
前記トナー保持体から前記感光体へは接触現像方式でトナーを供給することを特徴とする請求項１記載の現像方法。
【請求項３】
周波数ｆ１，ｆ２と重畳する周期ｎ，ｍとがｎ／ｆ１＜（ｍ／ｆ２）／５の関係を満たすことを特徴とする請求項１または２記載の現像方法。
【請求項４】
感光体に形成された静電潜像を、複数色のトナーによって現像し、現像されたトナー像を記録媒体に転写することで、画像を形成する画像形成方法において、
各色のトナーごとに設けられた感光体に対して請求項１〜３のいずれか１つに記載の現像方法によってそれぞれ現像し、現像された各色のトナー像を中間転写体に積層して転写し、中間転写体に積層されたトナー像を記録媒体に転写することを特徴とする画像形成方法。
【請求項５】
トナーを保持するトナー保持体に現像バイアス電圧を印加することで、静電潜像が形成された感光体にトナーを供給し、前記静電潜像を顕像化する現像装置において、
前記トナー保持体に対して、直流電圧に、周波数ｆ１が６〜１０ｋＨｚ、振幅が１．５〜２．０ｋＶｐｐである第１交流電圧をｎ周期重畳した後に、周波数ｆ２が０．１〜６ｋＨｚ、振幅が０．２〜１．０ｋＶｐｐである第２交流電圧をｍ周期重畳したものであって、周波数ｆ１，ｆ２と重畳する周期ｎ，ｍとがｎ／ｆ１＜（ｍ／ｆ２）／２の関係を満たす前記現像バイアス電圧を印加することを特徴とする現像装置。
【発明の詳細な説明】
【技術分野】
【０００１】
本発明は、トナーを保持するトナー保持体に現像バイアス電圧を印加することで、静電潜像が形成された感光体にトナーを供給し、静電潜像を顕像化する現像方法、現像装置およびこの現像方法を用いた画像形成方法に関する。
【背景技術】
【０００２】
プリンタや複写機など画像形成装置の画像形成工程の概略は、感光体ローラに近接して設置される現像ローラを用いて、予めトナー収容器内で帯電させたトナーを、感光体ローラ表面に形成された静電潜像に付着させて現像を行い、顕像化したトナー像を、印刷シートに転写し、定着させることで記録紙に印刷を行う。
【０００３】
このため、記録紙への印刷の際にはトナーを予め帯電させる必要がある。そこで、たとえばトナー収容器内で帯電制御材とトナーを攪拌ハネなどで混合し、トナーおよび帯電制御材に摩擦を加えて帯電させている。
【０００４】
感光体ローラ表面と現像ローラ表面とを所定の間隔となるように非接触に配置し、感光体ローラ表面と現像ローラ表面との間に現像バイアス電圧を印加すれば、現像ローラ上のトナーが帯電して感光体ローラに移動し、静電潜像に付着する。
【０００５】
現像バイアス電圧としては、直流電圧に交流電圧を重畳したものが用いられる。
特許文献１記載の画像形成装置は、周波数と振幅とがたがいに異なる２種類の交流電圧を重畳した直流電圧を印加している。具体的には、高周波数側の交流電圧が、周波数２〜１０ｋＨＺ、振幅１．０〜２．０ｋＶｐｐであり、低周波数側の交流電圧が、周波数０．１〜５ｋＨｚ、振幅０．０２〜１．０ｋＶｐｐである。
【０００６】
特許文献２記載の現像装置は、周波数が１〜１２ｋＨｚ、０．８〜２．２ｋＶｐｐの交流電圧と、−５００Ｖの直流電圧とを重畳して印加している。
【０００７】
【特許文献１】特開平８−２０２１１０号公報
【特許文献２】特開平８−２９２６３０号公報
【発明の開示】
【発明が解決しようとする課題】
【０００８】
現像バイアス電圧として、直流電圧に交流電圧を重畳した場合、周波数を高くすると粒状性は向上するが画像濃度が低下し、振幅を大きくすると画像濃度は高くなるがリークが発生しやすくなる。
【０００９】
特許文献１記載の画像形成装置は、既に現像されたトナーを掻き取らないようにするため、戻り電界が弱く、あるいは、トナーの混色を防止するために、現像電界が弱い。戻り電界が弱いとカブリが発生し、現像電界が弱いと、画像再現性に乏しいという問題が発生する。
【００１０】
また、高周波、高振幅の交流電圧が長時間印加されると感光体が絶縁破壊されるおそれもある。
【００１１】
本発明の目的は、感光体の損傷を防止するとともに、カブリの発生を抑制し、画像再現性に優れた現像方法、現像装置および該現像方法を用いた画像形成方法を提供することである。
【課題を解決するための手段】
【００１２】
本発明は、トナーを保持するトナー保持体に現像バイアス電圧を印加することで、静電潜像が形成された感光体にトナーを供給し、前記静電潜像を顕像化する現像方法において、
前記現像バイアス電圧は、直流電圧に、周波数ｆ１が６〜１０ｋＨｚ、振幅が１．５〜２．０ｋＶｐｐである第１交流電圧をｎ周期重畳した後に、周波数ｆ２が０．１〜６ｋＨｚ、振幅が０．２〜１．０ｋＶｐｐである第２交流電圧をｍ周期重畳したものであって、周波数ｆ１，ｆ２と重畳する周期ｎ，ｍとがｎ／ｆ１＜（ｍ／ｆ２）／２の関係を満たすことを特徴とする現像方法である。
【００１３】
また本発明は、前記トナー保持体から前記感光体へは接触現像方式でトナーを供給することを特徴とする。
【００１４】
また本発明は、周波数ｆ１，ｆ２と重畳する周期ｎ，ｍとがｎ／ｆ１＜（ｍ／ｆ２）／５の関係を満たすことを特徴とする。
【００１５】
また本発明は、感光体に形成された静電潜像を、複数色のトナーによって現像し、現像されたトナー像を記録媒体に転写することで、画像を形成する画像形成方法において、
各色のトナーごとに設けられた感光体に対して上記の現像方法によってそれぞれ現像し、現像された各色のトナー像を中間転写体に積層して転写し、中間転写体に積層されたトナー像を記録媒体に転写することを特徴とする画像形成方法である。
【００１６】
また本発明は、トナーを保持するトナー保持体に現像バイアス電圧を印加することで、静電潜像が形成された感光体にトナーを供給し、前記静電潜像を顕像化する現像装置において、
前記トナー保持体に対して、直流電圧に、周波数ｆ１が６〜１０ｋＨｚ、振幅が１．５〜２．０ｋＶｐｐである第１交流電圧をｎ周期重畳した後に、周波数ｆ２が０．１〜６ｋＨｚ、振幅が０．２〜１．０ｋＶｐｐである第２交流電圧をｍ周期重畳したものであって、周波数ｆ１，ｆ２と重畳する周期ｎ，ｍとがｎ／ｆ１＜ｍ／ｆ２の関係を満たす前記現像バイアス電圧を印加することを特徴とする現像装置である。
【発明の効果】
【００１７】
本発明によれば、トナーを保持するトナー保持体に現像バイアス電圧を印加することで、静電潜像が形成された感光体にトナーを供給し、前記静電潜像を顕像化する現像方法である。
【００１８】
前記トナー保持体に印加する現像バイアス電圧としては、直流電圧に、周波数ｆ１が６〜１０ｋＨｚ、振幅が１．５〜２．０ｋＶｐｐである第１交流電圧をｎ周期重畳した後に、周波数ｆ２が０．１〜６ｋＨｚ、振幅が０．２〜１．０ｋＶｐｐである第２交流電圧をｍ周期重畳したものであって、周波数ｆ１，ｆ２と重畳する周期ｎ，ｍとがｎ／ｆ１＜（ｍ／ｆ２）／２の関係を満たすバイアス電圧である。ここで、Ｖｐｐは振幅を表しており、電圧単位の［Ｖ（ボルト）］である。
【００１９】
第１交流電圧の印加によって、トナー保持体に保持されるトナーを揺動させて感光体へ移動し易くし、第２交流電圧の印加によって、感光体表面の未露光部に付着したトナー、いわゆるカブリトナーをトナー保持体に移動させて回収することができる。
【００２０】
また、高周波交流電圧と低周波交流電圧とを同時に重畳し続ける従来技術に比べて高周波交流電圧である第１交流電圧を印加する時間を短くすることができ、感光体の損傷を防ぐことができる。
【００２１】
また本発明によれば、前記トナー保持体から前記感光体へは接触現像方式でトナーを供給する。
【００２２】
非接触現像方式では、現像ローラと感光体との空隙が現像特性に大きく関与するので現像ローラの両端にスペーサーリングを装着しスペーサーリングを感光体に圧接して所定の空隙になるようにするなどしているが圧接部への異物の付着、あるいは部品精度不良などによる画質劣化が問題となる。
【００２３】
これに対して、接触方式は現像ローラと感光体とを現像剤を介して接触させ、接触ニップから離脱する空隙部で往復振動させるので現像ローラと感光体との位置管理が非接触現像方式に比べて非常に容易となり、部品制度野影響も受けにくい。
【００２４】
また本発明によれば、周波数ｆ１，ｆ２と重畳する周期ｎ，ｍとがｎ／ｆ１＜（ｍ／ｆ２）／５の関係を満たすことで、現像領域に進入してきた現像剤のキャリアに付着保持されているトナーを離脱させ、トナーの往復運動を活性化させるとともに感光体のリークを確実に防止できる。
【００２５】
また本発明によれば、感光体に形成された静電潜像を、複数色のトナーによって現像し、現像されたトナー像を記録媒体に転写することで、画像を形成する画像形成方法である。
【００２６】
各色のトナーごとに設けられた感光体に対して上記の現像方法によってそれぞれ現像する。現像された各色のトナー像は、中間転写体に積層して転写し、中間転写体に積層されたトナー像を記録媒体に転写する。
【００２７】
これにより、中間転写体を用いたフルカラー画像の形成においてもカブリの発生を抑制し、優れた画像再現性を実現できる。
【００２８】
また本発明によれば、トナーを保持するトナー保持体に現像バイアス電圧を印加することで、静電潜像が形成された感光体にトナーを供給し、前記静電潜像を顕像化する現像装置である。
【００２９】
前記トナー保持体に対して、直流電圧に、周波数ｆ１が６〜１０ｋＨｚ、振幅が１．５〜２．０ｋＶである第１交流電圧をｎ周期重畳した後に、周波数ｆ２が０．１〜６ｋＨｚ、振幅が０．１〜０．５ｋＶである第２交流電圧をｍ周期重畳したものであって、周波数ｆ１，ｆ２と重畳する周期ｎ，ｍとがｎ／ｆ１＜ｍ／ｆ２の関係を満たす前記現像バイアス電圧を印加する。
【００３０】
第１交流電圧の印加によって、トナー保持体に保持されるトナーを揺動させて感光体へ移動し易くし、第２交流電圧の印加によって、感光体表面の未露光部に付着したトナー、いわゆるカブリトナーをトナー保持体に移動させて回収することができる。
【００３１】
また、高周波交流電圧と低周波交流電圧とを同時に重畳し続ける従来技術に比べて高周波交流電圧である第１交流電圧を印加する時間を短くすることができ、感光体の損傷を防ぐことができる。
【発明を実施するための最良の形態】
【００３２】
図１は、本発明の実施の一形態である画像形成装置１の構成を示す概略図である。画像形成装置１は、感光装置２、転写装置３および現像装置４を備えている。
【００３３】
画像形成装置１は、さらに、図示しない原稿読取装置、給紙装置、定着装置、排紙装置などを備えている。
【００３４】
実施形態の画像形成装置１の画像形成工程は、まず原稿読取装置で読み取った画像データに基づいて感光装置２が静電潜像を形成し、現像装置４がトナーＴを供給して静電潜像をトナー像として顕像化し、このトナー像を給紙装置から搬送された印刷シートＰに転写部が転写し、定着装置でトナーを融着して排紙装置から印刷された印刷シートＰを排紙する。
【００３５】
感光装置２は、感光体ローラ２ａ、帯電ローラ２ｂ、レーザユニット２ｃ、電圧印加ユニット２ｄを有する。感光体ローラ２ａは、紙面に対して垂直な回転軸の軸線まわりに回転速度ｖｐで回転する円柱体で、その周表面が感光性樹脂で被覆されている感光部である。なお、後述の各ローラは、感光体ローラ２ａと同様の円柱体であり、感光体ローラ２ａの回転軸に平行な回転軸を有し、その軸線まわりに所定の回転速度で回転している。帯電ローラ２ｂは、感光体ローラ２ａの表面と接触して、その接触した領域を所定の電位にする。帯電ローラ２ｂと接触した感光体ローラ２ａの領域は、未露光時はＶ０＝−６００Ｖの電位となっている。このように帯電した感光体ローラ２ａの表面に対して、書込部であるレーザユニット２ｃがレーザ照射を行い、電位が−１００Ｖ以下となる露光部を画像データに基づいて形成する。この露光部の集合が静電潜像となる。
【００３６】
転写装置３は、転写部である転写ローラ３ａおよび電圧印加ユニット３ｂを有する。転写ローラ３ａは、感光体ローラ２ａと自身との間に印刷シートＰを挟み込んで、静電潜像に付着されたトナーＴを印刷シートＰに転写する。電圧印加ユニット３ｂは、転写ローラ３ａに所定の電位ＶＴ＝２ｋＶを印加する。また、転写ローラ３ａは、所定の回転速度ｖＴで回転するように設定されている。
【００３７】
現像装置４は、現像ローラ５、電圧印加ユニット５ａ、補給ローラ６、電圧印加ユニット６ａおよび現像槽７を有する。
【００３８】
現像ローラ５は、補給ローラ６から供給されるトナーＴを感光体ローラ２ａに供給するトナー保持体である。現像ローラ５は、その表面と、感光体ローラ２ａおよび補給ローラ６の表面とが所定の間隔となるように配置されている。また、現像ローラ５は図の矢印で示すように、所定の回転速度ｖｄで、感光体ローラ２ａとは同方向、また補給ローラ６とはカウンター方向となるように回転する。
【００３９】
補給ローラ６は、現像槽７に貯えられたトナーＴを現像ローラ５に補給する補給部である。補給ローラ６は、図に示すように、所定の回転速度ｖＳで、現像ローラ５とカウンター方向に回転する。
【００４０】
現像ローラ５には、電圧印加ユニット５ａから現像バイアス電圧が印加されており、この現像バイアス電圧によって、現像ローラ５表面上のトナーが感光体ローラ２ａ表面の露光部へと移動する。
【００４１】
従来の現像バイアス電圧は、直流電圧に対して、高周波交流電圧と低周波交流電圧とを同時に重畳しているが、本発明では、直流電圧に対して第１交流電圧である高周波交流電圧を一定周期重畳した後、第２交流電圧である低周波交流電圧を一定周期重畳している。高周波交流電圧の印加によって、現像ローラ５表面上のトナーを揺動させて現像ローラ５表面へ移動し易くし、低周波交流電圧の印加によって、感光体ローラ２ａ表面の未露光部に付着したトナー、いわゆるカブリトナーを現像ローラ５表面へ回収する。
【００４２】
具体的には、直流電圧Ｖｄｃ（−５００Ｖ）に、高周波交流電圧（周波数ｆ１＝６〜１０ｋＨｚ，振幅Ｖｐｐｈ＝１．５〜２．０ｋＶｐｐ）をｎ周期重畳した後に、低周波交流電圧（ｆ２＝０．５〜６ｋＨｚ，振幅Ｖｐｐｌ＝０．２〜１．０ｋＶｐｐ）をｍ周期重畳し、かつ、ｎ／ｆ１＜（ｍ／ｆ２）／２となるように周波数と重畳する周期とを規定する。これは、言い換えれば、（高周波交流電圧の印加期間）＜（低周波交流電圧の印加期間）／２となるように規定している。この条件から外れると低周波交流電圧期間を設け高周波交流電圧で高電圧を印加することにより発生する感光体のリークを防止する効果が得られなくなる。
【００４３】
高周波交流電圧を重畳する周期ｎは、１以上が好ましい。
低周波交流電圧を重畳する周期ｍは、１以上が好ましい。
【００４４】
さらに、周波数と重畳する周期については、ｎ／ｆ１＜（ｍ／ｆ２）／５であることが特に好ましい。これは、言い換えれば、（高周波交流電圧の印加期間）＜（低周波交流電圧の印加期間）／５となるように規定している。
【００４５】
この条件を満たすことにより、現像領域に進入してきた現像剤に対して高電圧の高周波交流電圧でキャリアに付着保持されたトナーをキャリアから確実に離脱させることによりトナーの往復運動を活性化させ、活性化したトナーを低周波交流電圧で往復振動を維持するとともにかぶりの原因となる定帯電トナーを感光体表面から回収する。ここで、キャリアからトナー離脱すればトナーは活性化するので高周波交流電圧は短くてよく、（高周波交流電圧の印加期間）＜（低周波交流電圧の印加期間）／５とすることにより発生する感光体のリークを確実に防止する効果が得られる。
【００４６】
図２は、現像ローラ５と感光体ローラ２ａの露光部との間のトナーＴの移動メカニズムを示す図であり、図３は、現像ローラ５と感光体ローラ２ａの未露光部との間のトナーＴの移動メカニズムを示す図である。また、図２（ａ）、（ｂ）および図３（ａ）、（ｂ）は、高周波交流電圧が重畳された場合を示しており、図２（ｃ）、（ｄ）および図３（ｃ）、（ｄ）は、低周波交流電圧が重畳された場合を示している。
【００４７】
直流電圧Ｖｄｃ＝−５００Ｖ、高周波交流電圧の振幅Ｖｐｐｈ＝１６００Ｖｐｐ、低周波交流電圧の振幅であるＶｐｐｌ＝６００Ｖｐｐとし、未露光部の感光体ローラ２ａ表面電位を−６００Ｖ、露光部の感光体ローラ２ａ表面電位を−１００Ｖとする。
【００４８】
図２（ａ）の状態では、高周波交流電圧の重畳による現像バイアス電圧の最大値Ｖｂｈ１＝−５００＋（−８００）＝−１３００Ｖであり、露光部の感光体ローラ２ａ表面電位は、−１３００−（−１００）＝−１２００Ｖである。したがって、トナーＴに対しては、感光体ローラ２ａへ向かう方向に力が働く。
【００４９】
図２（ｂ）の状態では、高周波交流電圧の重畳による現像バイアス電圧の最大値Ｖｂｈ２＝−５００＋８００＝３００Ｖであり、露光部の感光体ローラ２ａ表面電位は、３００−（−１００）＝４００Ｖである。したがって、トナーＴに対しては、現像ローラ５へ向かう方向に力が働く。
【００５０】
高周波交流電圧の重畳により、現像ローラ５表面上にファンデルワールス力で付着していたトナーＴが揺動され、感光体ローラ２ａへ移動し易くなる。
【００５１】
図２（ｃ）の状態では、低周波交流電圧の重畳による現像バイアス電圧の最大値Ｖｂｌ１＝−５００＋（−３００）＝−８００Ｖであり、露光部の感光体ローラ２ａ表面電位は、−８００−（−１００）＝−７００Ｖである。したがって、トナーＴに対しては、感光体ローラ２ａへ向かう方向に力が働く。
【００５２】
図２（ｄ）の状態では、低周波交流電圧の重畳による現像バイアス電圧の最大値Ｖｂｌ２＝−５００＋３００＝−２００Ｖであり、露光部の感光体ローラ２ａ表面電位は、−２００−（−１００）＝−１００Ｖである。したがって、トナーＴに対しては、感光体ローラ２ａへ向かう方向に力が働く。
【００５３】
揺動されたトナーＴは、低周波交流電圧の重畳により、感光体ローラ２ａへ移動し静電潜像が現像される。
【００５４】
図３（ａ）の状態では、高周波交流電圧の重畳による現像バイアス電圧の最大値Ｖｂｈ１＝−５００＋（−８００）＝−１３００Ｖであり、未露光部の感光体ローラ２ａ表面電位は、−１３００−（−６００）＝−７００Ｖである。したがって、カブリトナーＴｋに対しては、感光体ローラ２ａへ向かう方向に力が働く。
【００５５】
図３（ｂ）の状態では、高周波交流電圧の重畳による現像バイアス電圧の最大値Ｖｂｈ２＝−５００＋８００＝３００Ｖであり、未露光部の感光体ローラ２ａ表面電位は、３００−（−６００）＝９００Ｖである。したがって、カブリトナーＴｋに対しては、現像ローラ５へ向かう方向に力が働く。
【００５６】
高周波交流電圧の重畳により、感光体ローラ２ａの未露光部に付着していたカブリトナーＴｋが揺動され、現像ローラ５へ移動し易くなる。
【００５７】
図３（ｃ）の状態では、低周波交流電圧の重畳による現像バイアス電圧の最大値Ｖｂｌ１＝−５００＋（−３００）＝−８００Ｖであり、未露光部の感光体ローラ２ａ表面電位は、−８００−（−６００）＝−２００Ｖである。したがって、カブリトナーＴｋに対しては、感光体ローラ２ａへ向かう方向に力が働く。
【００５８】
図３（ｄ）の状態では、低周波交流電圧の重畳による現像バイアス電圧の最大値Ｖｂｌ２＝−５００＋３００＝−２００Ｖであり、未露光部の感光体ローラ２ａ表面電位は、−２００−（−６００）＝４００Ｖである。したがって、カブリトナーＴｋに対しては、現像ローラ５へ向かう方向に力が働く。
【００５９】
揺動されたカブリトナーＴｋは、低周波交流電圧の重畳により、感光体ローラ２ａから現像ローラ５へ移動し回収される。
【００６０】
本発明では、直流電圧に対して高周波交流電圧を一定周期重畳した後、低周波交流電圧を一定周期重畳しているので、高周波交流電圧と低周波交流電圧を同時に重畳し続ける従来技術に比べて高周波交流電圧を印加する時間を短くすることができ、感光体の損傷を防ぐことができる。
【００６１】
さらに、カブリトナーが効率良く回収され、混色も発生しないので、画像再現性に優れている。
【００６２】
現像ローラ５から感光体ローラ２ａへの現像方式については、非接触現像方式であっても接触現像方式であっても適応可能であるが、接触現像方式であることが好ましい。
【００６３】
また、本発明の現像方法で現像および形成される画像については、モノクロ画像であってもフルカラー画像であっても適応可能である。フルカラー画像の場合は、各色のトナーごとに図１に示したような感光装置２および現像装置４を備えており、感光体ローラ２ａ表面上に現像された各色のトナー像は、一旦中間転写体に積層して転写される。中間転写体に積層されたトナー像は、転写装置によって印刷シートに転写され、定着されてフルカラー画像が形成される。
【００６４】
図４および図５は、電圧印加ユニット５ａの具体的な構成例を示す図である。
第１の構成例では、図４（ａ）に示すように、電圧印加ユニット５ａはオペアンプ８を備え、図４（ｂ）に示すような波形の交流電圧を入力する。オペアンプ８としては、たとえばトレック社製、ＭＯＤＥＬ  ６７７Ｂを使用することができる。
【００６５】
オペアンプ８へ入力する波形を変えることで、所望の周波数、振幅および周期の交流電圧が重畳した現像バイアス電圧を現像ローラ５に印加することができる。
【００６６】
第２の構成例では、図５（ａ）に示すように、電圧印加ユニット５ａは鉄心コアのトランス９を備え、２次巻線（コイル）に直流電圧Ｖｄｃ（−５００Ｖ）を入力し、１次巻線に図５（ｂ）に示すような波形の交流電圧を入力する。
【００６７】
１次巻線へ入力する波形を変えることで、所望の周波数、振幅および周期の交流電圧が重畳した現像バイアス電圧を現像ローラ５に印加することができる。
【００６８】
なお、第２の構成例において、鉄心コアのトランスの代わりに圧電トランスを用いてもよい。
【図面の簡単な説明】
【００６９】
【図１】本発明の実施の一形態である画像形成装置１の構成を示す概略図である。
【図２】現像ローラ５と感光体ローラ２ａの露光部との間のトナーＴの移動メカニズムを示す図である。
【図３】現像ローラ５と感光体ローラ２ａの未露光部との間のトナーＴの移動メカニズムを示す図である。
【図４】電圧印加ユニット５ａの具体的な構成例を示す図である。
【図５】電圧印加ユニット５ａの具体的な構成例を示す図である。
【符号の説明】
【００７０】
１  画像形成装置
２  感光装置
２ａ  感光体ローラ
２ｂ  帯電ローラ
２ｃ  レーザユニット
２ｄ，３ｂ，５ａ，５ｂ  電圧印加ユニット
３  転写装置
３ａ  転写ローラ
４  現像装置
５  現像ローラ
６  補給ローラ
７  現像槽
８  オペアンプ
９  トランス
【図１】
2008083417.tif 000003
【図２】
2008083417.tif 000004
【図３】
2008083417.tif 000005
【図４】
2008083417.tif 000006
【図５】
2008083417.tif 000007